(57)【要約】      （修正有）【課題】内部の書類が脱落せず、インデックスを所望位置に取り付けできることができるクリアフォルダを提供する。【解決手段】１枚の合成樹脂製シート体を２つ折りにし、その折目に隣接する１辺を溶着したクリアフォルダーである。裏面シート体２０の側縁部を延長して延長部を形成し、この延長部を内側方向に折曲して折曲片部２５を形成する。この折曲片部２５の折目Ｇに沿って複数の切れ目２４を形成し、この切れ目２４の内の１つを選択してインデックス３０を係合できる。このインデックスは横向きの略凸形状を有し、この突出部３１の根元部の縦方向に切込部を形成し、この切込部を前記折曲片部２５の折目Ｇに設けた切れ目２４端部に係合できる。【選択図】図２
0003164506.tif 000002
【実用新案登録請求の範囲】
【請求項１】
略矩形形状の１枚の合成樹脂製シート体を２つ折りにして表面シート体と裏面シート体と成し、その２つ折りにされた辺に隣接する１辺を接合して形成したクリアフォルダーにおいて、
前記２つ折りにされた辺に対向する裏面シート体(20)の側縁部を延長して延長部を形成し、この延長部を内側方向に折曲して折曲片部(25)を形成し、
この折曲片部(25)の折目(G) に沿って複数の切れ目(24, 24, …)を形成し、
この切れ目(24, 24, …)の内の１つを選択してインデックス(30)を係合できることを特徴とするクリアフォルダー。
【請求項２】
前記折曲片部(25)はフォルダーの裏面シート体(20)の前記側縁部のほぼ全体に渡り形成されているこを特徴とする請求項１に記載のクリアフォルダー。
【請求項３】
前記インデックス(30)が横向きの略凸形状を有し、この横向きの略凸形状の突出部(31)の根元部の縦方向に切込部(32)を形成し、この切込部(32)を前記折曲片部(25)の折目(G) に設けた切れ目(24)端部に係合できることを特徴とする請求項１又は２に記載のクリアフォルダー。
【請求項４】
横向き略凸形状の前記インデックス(30)の基部(33)の上部又は下部が係合する切れ目部(25k) を折曲片部(25)又は裏面シート体(20)に設けたことを特徴とする請求項３に記載のクリアフォルダー。
【請求項５】
前記インデックス(30)を対称形に形成した１組のもの(35)を複数組フォルダーの適宜位置に着脱自在に貼着し、この１組のもの(35)を剥離して２つ折りにすることによって前記略凸形状のインデックス(30)が形成され、このインデックス(30)を前記折曲片部(25)に設けた切れ目(24)端部に係合できることを特徴とする請求項３又は４に記載のクリアフォルダー。
【請求項６】
前記インデックス(30)を対称形に形成した１組のもの(35)を切り離し可能に複数組シート状に形成し、その裏面には接着材を塗布して剥離紙を貼着したものを、フォルダーの適宜位置に設けたポケット部内に収納し、このインデックス(35)を使用するときは、その１組のものを剥離紙から剥離して、２つ折として略凸形状のインデックス(30)と成し、このインデックス(30)を前記折曲片部(25)に設けた切れ目(24)端部に係合できることを特徴とする請求項３又は４に記載のクリアフォルダー。
【請求項７】
フォルダーの表面シート体(10)の適宜位置に円弧形状の切り目(15)を設け、この切れ目(15)に前記折曲片部(25)の縁部が係合できることを特徴とする請求項１乃至６の何れか１項に記載のクリアフォルダー。
【請求項８】
表面シート体(10)、裏面シート体(20)、折曲片部(25)、折曲片部(25)の折目(G) に設ける切れ目(24, 24, …)、表面シート体(10)に形成する円弧形状の切れ目(15)、並びに裏面シート体(20)又は折曲片部(25)に設けるインデックス(30)基部(33)を係合する切れ目部(25k) を、１枚の合成樹脂製シート体から１工程で裁断して形成し、その後表面シート体(10)と裏面シート体(20)の折目(F) 及び折曲片部(25)の折目(G) を折曲し、表面シート体(10)と裏面シート体(20)との折目(F) に隣接する１辺を熱溶着して形成されることを特徴とする請求項７に記載のクリアフォルダー。
【考案の詳細な説明】
【技術分野】
【０００１】
本考案は、書類を挟み込んで保護し及び保管をするためのクリアフォルダーの改良に関するものである。
【背景技術】
【０００２】
従来より、略矩形形状の透明又は半透明の合成樹脂製のシート体を２つ折りし、この折り目に隣接する１辺を溶着することにより作製されたクリアフォルダーが大いに利用されている。
このクリアフォルダーは、クリアファイルとも呼ばれ、表面シート体と裏面シート体の間に書類等を挟んで、書類の保護と保管等を行うために使用されている。
【０００３】
従来のものとしては、下記特許文献に記載のクリアホルダーを挙げることができる。
このクリアホルダーにおいては、重ね合わされた一方のビニール板の折り曲げ部に対向した開放部の側縁に、折り曲げ部と反対方向（外側方向）に突出しインデックス等を取付けるためのインデックス取付け部と、折り曲げ部方向（内側方向）に伸び他方のビニール板を押さえるための押さえ部を設けたものから成る。
【０００４】
この先行技術文献に開示された発明の基本思想は、従来から有るクリアフォルダーの裏面シート体の側縁部の一部に、別体からなるインデックスと押さえ部との両方の機能を有する部材を貼着することから成るものである。
この場合、インデックス取付け部の部分は、２つ折りされた二重のシートによって形成されるため、その上下の部分が開放されたままとなる。
即ち、このインデックス取付け部の部分に書類の内容を示す表示シートを挿入し、挟み込むこととなるのであるが、この挟み込みに手間が掛かり、またこの表示シート自体が上下の開放部から脱落する恐れもある。
【０００５】
また、この２つ折りされた部分に直接、書類の内容を示す表示を記載することもできるが、その場合、他の書類を差し替えた際に問題が生じてしまう。つまり、書き直ししなければならないが、油性インク等で記載してしまえば、それを消去することが困難となってしまうのである。
また、このインデックス取付部と共に設けられている押さえ部は、表面シート体の側縁部の一部のみを押さえるものであり、その押さえ効果が十分でないという問題もあった。
【先行技術文献】
【特許文献】
【０００６】
【特許文献１】特開平１０−７１７９３号公報
【考案の概要】
【考案が解決しようとする課題】
【０００７】
そこで、本願考案においては、従来からあるクリアフォルダーにおいて、先ず、インデックスの取り付けを容易にすること、インデックの取り付け位置を自由に選択できること、またインデックスを取付けた際に脱落しないことをその課題とする。
そして更に、内部に挟まれる書類等が開放側縁部から脱落しないようにすること、しかもその脱落防止機能をより十分なものとすることをその課題とするものである。
【課題を解決するための手段】
【０００８】
上記課題を解決するために、本考案の第１のものは、略矩形形状の１枚の合成樹脂製シート体を２つ折りにして表面シート体と裏面シート体と成し、その２つ折りにされた辺に隣接する１辺を接合して形成したクリアフォルダーにおいて、
前記２つ折りにされた辺に対向する裏面シート体の側縁部を延長して延長部を形成し、この延長部を内側方向に折曲して折曲片部を形成し、
この折曲片部の折目に沿って複数の切れ目を形成し、
この切れ目の内の１つを選択してインデックスを係合できることを特徴とするクリアフォルダーである。
【０００９】
本考案の第２のものは、上記第１の考案において、前記折曲片部はフォルダーの裏面シート体の前記側縁部のほぼ全体に渡り形成されているこを特徴とするクリアフォルダーである。
【００１０】
本考案の第３のものは、上記第１又は第２の考案において、前記インデックスが横向きの略凸形状を有し、この横向きの略凸形状の突出部の根元部の縦方向に切込部を形成し、この切込部を前記折曲片部の折目に設けた切れ目端部に係合できることを特徴とするクリアフォルダーである。
ここで、横向き略凸形状のインデックスにおいて、その突出部が右側を向いている際には、その基部はその左側に位置し、その基部の上下方向長さが突出部の上下方向長さよりも長いものとなり、突出部の根元部というのは、その突出部と基部との境界部を意味する。
【００１１】
本考案の第４のものは、上記第３の考案において、横向き略凸形状の前記インデックスの基部の上部又は下部が係合する切れ目部を折曲片部又は裏面シート体に設けたことを特徴とするクリアフォルダーである。
【００１２】
本考案の第５のものは、上記第３又は第４の考案において、前記インデックスを対称形に形成した１組のものを複数組フォルダーの適宜位置に着脱自在に貼着し、この１組のものを剥離して２つ折りにすることによって前記略凸形状のインデックスが形成され、このインデックスを前記折曲片部に設けた切れ目端部に係合できることを特徴とするクリアフォルダーである。
【００１３】
本考案の第６のものは、上記第３又は第４の考案において、前記インデックスを対称形に形成した１組のものを切り離し可能に複数組シート状に形成し、その裏面には接着材を塗布して剥離紙を貼着したものを、フォルダーの適宜位置に設けたポケット部内に収納し、このインデックスを使用するときは、その１組のものを剥離紙から剥離して、２つ折として略凸形状のインデックスと成し、このインデックスを前記折曲片部に設けた切れ目端部に係合できることを特徴とするクリアフォルダーである。
【００１４】
本考案の第７のものは、上記第１乃至第６のそれぞれの考案において、フォルダーの表面シート体の適宜位置に円弧形状の切り目を設け、この切れ目に前記折曲片部の縁部が係合できることを特徴とするクリアフォルダーである。
【００１５】
本考案の第８のものは、上記第７の考案において、表面シート体、裏面シート体、折曲片部、折曲片部の折目に設ける切れ目、表面シート体に形成する円弧形状の切れ目、並びに裏面シート体又は折曲片部に設けるインデックス基部を係合する切れ目部を、１枚の合成樹脂製シート体から１工程で裁断して形成し、その後表面シート体と裏面シート体の折目及び折曲片部の折目を折曲し、表面シート体と裏面シート体との折目に隣接する１辺を熱溶着して形成されることを特徴とするクリアフォルダーである。
【考案の効果】
【００１６】
本考案の第１のものにおいては、まず裏面シート体の開放側縁部に外側方向に延長する延長部を形成し、この延長部を反対側の内側方向に折曲して折曲片部を形成し、この折曲片部が表面シート体と裏面シート体の間に挟持された書類等の外部への脱落を防止できるのである。
また、この折曲片部は、表面シート体と裏面シート体の間にそのまま配置しておくこともできるし、この折曲片部を表面シート体の表面側に出して表面シート体の開放側縁部をその内部に配置して表面シート体の押さえ部としての機能をも果たすものとなる。
【００１７】
折曲片部と裏面シート体との折目に沿って、本考案においては、複数の切れ目を設けており、この複数の切れ目の内の１つを選択して、別体のインデックスを係合することができる。
即ち、インデックスの取付位置を裏面シートの開放側縁部の１辺の上下方向の所望の位置に取り付けることができ、このフォルダーを書棚又は引き出し内に収納した際に、このインデックスが隣接するフォルダーと重なり合わないように選択して取り付けすることができるのである。
【００１８】
本考案の第２のものにおていは、折曲片部をフォルダーの裏面シート体の開放側縁部のほぼ全体に渡り設けており、そのため、内部に挟持されたサイズの小さい書面等をも有効に脱落防止することができる。
また、この折曲片部を表面シート体の表面側に配置した際には、その表面シート体の開放側縁部のほぼ全体を押えることも可能となるのである。
【００１９】
本考案の第３のものは、インデックスの形態を特定したものである。
即ち、このインデックスは、突出部が横向きの略凸形状を有しており、この突出部の根元部の縦方向に切込部を設けたものである。
この切込部は、突出部の根元の下端から上方に、或いはその根元の上端から下方に向けて設けるのも自由である。
【００２０】
この突出部の根元に設けた切込部を、前記折曲片部の折目に形成した切れ目の端部に係合させる、つまりインデックスの突出部を切れ目の内側から外側に突出させ、その後上方に又は下方にスライドさせることにより、インデックスに設けた切込部が折目に設けられた切れ目端部と係合するのである。
これによって、インデックスは切れ目端部と係合し、脱落する恐れがなくなるのである。
勿論、このインデックスは、折目片部の折目に設けた複数の切れ目の何れかを選択して係合させ、取り付けることができるものとなるのである。
【００２１】
本考案の第４のものにおいては、インデックスを、折曲片部の切れ目に係合させた際に、例えば、インデックスの切込部が根元部下方に形成されている場合には、インデックスは、その突出部の根元下方部で係合されることとなるが、その上方部は何ら係合されていないために、そのインデックスの基部の上部が内側方向に斜めにずれて、傾いてしまう恐れもあり、これを防止するために、横向き略凸形状のインデックスの基部の上部又は下部が係合する切れ目部を折曲片部又は裏面シートに設けたものである。
これにより、確実にインデックスが適切な位置で、適切な向きで固定されることとなる。
【００２２】
本考案の第５のものにおいては、前記インデックスがフォルダーと別体に形成されている関係上、このインデックスの複数のものをフォルダーに着脱自在に貼着したものである。
即ち、インデックスを対称形に形成した１組のものを複数組フォルダーの適宜位置に着脱自在に貼着し、この１組のものを剥離して２つ折りにすることによって前記略凸形状のインデックスが形成され、このインデックスを前記折曲片部に設けた切れ目端部に係合できるようにしたものである。
これにより、使用者は、フォルダーに貼着された１組のインデックスを剥離して、これを２つ折りして略凸形状と成し、これを所望の位置にある切れ目に係合させることができる。
また、インデックスへの表示又は記入を間違えたような場合には、別の１組のインデックスを剥離して使用することもできることとなる。
【００２３】
本考案の第６のものにおいても、上記第５の考案と同様の効果を有し、その別体のインデックスの他の形態を特定したものである。
即ち、インデックスを対称形に形成した１組のものを切り離し可能に複数組シート状に形成し、その裏面には接着材を塗布して剥離紙を貼着したものを、フォルダーの適宜位置に設けたポケット部内に収納し、このインデックスを使用するときは、その１組のものを剥離紙から剥離して、２つ折として略凸形状のインデックスと成し、このインデックスを前記折曲片部に設けた切れ目端部に係合できるものとした。
【００２４】
本考案の第７のものにおいては、フォルダーの表面シート体の適宜位置に円弧形状の切れ目を設けて、この切れ目に裏面シート体の側に設けた折曲片部の縁部を係合できるように形成したものであって、この折曲片部の縁部を表面シート体の裏面側で係合することも、表面シート体の表面側で係合することもできるものである。
この折曲片部の係合により、内部に挟持された書類の脱落を防止することができ、また、この折曲片部を表面シート体の表面側で係合したときには、表面シート体の押さえ部材としての効果も発揮することとなるのである。
【００２５】
本考案の第８のものにおいては、表面シート体、裏面シート体、折曲片部、折曲片部の折目に設ける切れ目、表面シート体に形成する円弧形状の切れ目、並びに裏面シート体又は折曲片部に設けるインデックス基部に係合する切れ目部を、１枚の合成樹脂製シート体から１工程で裁断して形成し、その後表面シート体と裏面シート体の折目及び折曲片部の折目を折曲し、表面シート体と裏面シート体との折目に隣接する１辺を熱溶着して形成するために、上記最初の１工程の裁断と切れ目等の形成によって、従来の工程数と同等のものとして容易に製造することができることとなる。
【図面の簡単な説明】
【００２６】
【図１】本考案のクリアフォルダーに係る一実施形態の展開図である。
【図２】本考案のクリアフォルダーに係る前記実施形態の斜視図であって、表面シート体を少し開放した状態を示している。
【図３】本考案の実施形態に係るフォルダーの折曲片部の折目に設けた切れ目とインデックスとの係合関係を示す一部拡大説明図である。
【図４】本考案の実施形態にインデックスを図示した説明図であり、その（Ａ）が上記実施形態に係るインデックスを示し、その（Ｂ）は別の実施形態のインデックスを示し、その（Ｃ）が更に別の実施形態に係るインデックスを示している。
【考案を実施するための形態】
【００２７】
以下、添付の図面と共に本考案の実施形態について説明する。
図１は、本考案のクリアフォルダーに係る一実施形態の展開図である。
このクリアーフォルダーは、ポリプロピレンから成る略矩形形状の合成樹脂製シート体から成り、中央部縦方向の破線で示した折目線Ｆに沿って２つ折りされ、表面シート体１０の下辺１１と、裏面シート体２０の下辺２１とが熱溶着される。
この実施形態では、Ａ４サイズの書類がその内部に挟持される大きさのものである。
【００２８】
表面シート体１０と裏面シート体２０の縦横のサイズは同一であるが、裏面シート体２０の縦方向の側縁部には、折目線Ｆから離れる方向に延長部２５が形成され、この延長部２５と裏面シート体２０との境界線である折目線Ｇに沿って内側に折り曲げられ、折曲片部２５が形成される。
この折目線Ｇに沿って、一定の間隔を保持して複数の切れ目２４、２４、…が設けられている。
後に説明するが、この切れ目２４にインデックスが係合する。
【００２９】
表面シート体１０の側には、図中左側の側縁部に切欠部１３を設けている。
この切欠部１３は、表面シート体１０と裏面シート体２０とが重ね合わされた状態の際に、これら両シート体１０、２０を引き離す際に便宜なものとなり、これにより間に書類等を容易に挟持させることができる。
また、表面シート体１０の図中左側の側縁部側に設けた円弧状の切込１５は、前記折曲片部（延長部）２５の側縁部２５ｅを係合させるためのものである。
【００３０】
図２は、本考案に係るクリアフォルダーが完成した状態の斜視図であって、表面シート体を少し開放した状態を示している。
この図からよく判る通り、折曲片部２５は、表面シート体１０と裏面シート体２０との間で内側方向に折曲されており、これら両シート体１０、２０の間に位置して内部に挟持される書類の外部への脱落を防止できる。
勿論、この折曲片部２５は、図２に示した状態でなく、表面シート体１０の表面側に配置して、表面シート体１０の開放側縁部１０ｅを押える役目を果たすこともできる。
【００３１】
折曲片部２５と裏面シート体２０の折目線Ｇに沿って、複数の切れ目２４、２４、…が設けられており、この切れ目２４の任意のものを選択して、インデックス３０を係合させることができる。
インデックス３０については、後に説明するが、横方向に突出部３１を有した横向きの略凸形状のものから成り、その基部３３は、前記突出部３１の上下方向長さよりも長いものとなっている。
【００３２】
このインデックス３０の突出部３１を折目線Ｇに設けた複数の切れ目２４の内の任意のものを選択して内側から外側に向けて、即ち、突出部３１が折目線Ｇから外側に突出するように差し込むのである。
インデックス３０と切れ目２４との係合方法は、次の図３により更に説明する。
【００３３】
図３は、本考案に係るフォルダーの折曲片部の折目に設けた切れ目とインデックスとの係合関係を示す一部拡大説明図である。
折曲片部２５と裏面シート体２０との折目線Ｇに設けられた切れ目２４の上下の長さは、インデックス３０の突出部３１のの上下方向長さとほぼ同一である。
従って、このインデックス３０の突出部３１を切れ目２４の内側から外側に挿通させて、つまり突出部３１を折曲片部２５の内部から外部へと挿通させて、突出部３１を折目線Ｇの外部に突出させるのである。
【００３４】
インデックス３０の突出部３１の根元部の下端には、切込部３２が設けられている。
この切込部３２を切れ目２４の下端部に係合させるのである。
つまり、切れ目２４の下端を切込部３２の内部に挿入させるのである。
実際には、インデックス３０の突出部３１を切れ目２４に挿通させた後に、つまり、インデックス３０を図中右側方向に移行させ、その後下方にそのインデックスを移行させることによって、切れ目２４の下端を切込部３２の内部に挿入できるのである。
【００３５】
このように、インデックス３０の突出部３１の根元の切込部３２を切れ目２４の下端に係合させることにより、インデックス３０は、確実に折曲片部２５の折目線Ｇの適宜部位に確実に取り付けられるのである。
尚、インデックス３０の基部３３は、その上下方向長さが長く形成されているので、インデックス３０を切れ目２４の部位で下方に移行させても、何ら問題はない。
【００３６】
また、インデックス３０に設けた切込部３２は、突出部３１の根元部の上方側に下向きに設けることもできる。
この場合には、インデックス３０の突出部３１を切れ目２４内に挿入した後に、このインデックスを上方向に移行させれば、切れ目２４の上端に係合できることとなるのである。
インデックス３０の突出部３１には、予め内部に挟持される書類の内容を示す表示を記載しておけば、このクリアフォルダーを書棚や引き出しに入れた際の目印、つまりインデックスとなるのである。
【００３７】
尚、この実施形態においては、他の図面には図示していないが、インデックス３０の基部３３の上方部が左斜めに傾いてずれてしまわないような手段が講じられている。
即ち、この図３にある通り、インデックス３０の基部３３の上方角部３３ｋが係合する斜め方向の切れ目部２５ｋを設けているのである。
この切れ目部２５ｋにインデックス３０の基部３３の上方角部３３ｋを係合させることにより、インデックス３０は、確実に固定されることとなるのである。
【００３８】
この切れ目部２５ｋは、インデックス３０の基部３３の上方角部３３ｋと係合するが、この斜め方向に傾斜して設けられた切れ目部２５ｋは、単に水平方向に一文字に形成してもよく、また、八の字形状に形成してもよい。
横一文字に形成すれば、インデックス３０の基部３３の上端部全体を係合させることができ、また八の字形状に形成すれば、インデックス３０の上方の両側の角部を係合させることができる。
また、この切れ目部２５ｋは、裏面シート体２０の側の対応位置に設けることもでき、或いはインデックスの突出部の根元部の上方側に切込部を形成した際は、この切れ目部２５ｋは、インデックス３０の基部３３の下部３３ｓの側に対応する位置に設けることとなる。
【００３９】
図４は、インデックスを図示した説明図であり、その（Ａ）が上記実施形態で説明したインデックスを示し、その（Ｂ）は別の形態のインデックスを示し、その（Ｃ）が更に別の形態のインデックスを示している。
図４に図示したインデックス３０は、上記実施形態で使用したものであり、横方向に突出部３１が設けられた横向きの略凸形状のものであり、突出部３１の根元部下側に切込部３２が設けられたものである。
この切込部３２は、突出部３１の根元部の上側に設けてもよいことはすでに説明した。
【００４０】
図４（Ｂ）に図示したインデックス３５は、上記（Ａ）図に示したインデックスの左右対称形をした１組のものであり、その中央縦方向に折目線Ｈが設けられおり、尚且つその裏面に接着剤が塗布されたものである。
裏面に塗布された接着剤は、接着力の弱い水性のものからなり、このインデックス３５が（Ｂ）図の形状でフォルダーの表面シート体の下方コーナー部に複数接着しておく。
使用者は、この接着状態にあるインデックス３５を剥離して、折目線Ｈで２つ折りして両半部を接着して、横向き略凸形状のインデックスを完成させて、フォルダーの折曲片部の切れ目に係合させるのである。
【００４１】
図４（Ｃ）に記載のインデックスは、上記（Ｂ）図に図示したインデックス３５の複数組のものを更に連接して、相互に容易に分離できるように形成したものである。
このインデックス連接体３７は、その裏面に接着剤が塗布され、更にその上に剥離紙が貼着されているシート状体のものである。
このインデックス連接体３７は、フォルダーの適宜位置に設けたポケット部（図示せず）内に収納させておけばよいものである。
使用に際しては、このポケット部からこのインデックス連接体３７を取り出し、その１組のインデックス３５を剥離し、これを２つ折して、横向き略凸形状のインデックスを完成させて、フォルダーの折曲片部の切れ目に係合させて使用することができるのである。
【００４２】
以上、本考案の実施形態について説明したが、本考案においては下記の通り各種設計変更することができる。
表面シート体及び裏面シート体の縦横サイズは自由に設定することができる。
折曲片部の縦方向の長さは、上記実施形態では、裏面シートの右側縁部のほぼ全体に渡り設けているが、その縦方向長さは多少短くてもよい。しかし、インデックスの設ける位置と範囲を考慮に入れるならば、できる限りその縦方向長さは長く形成した方が好ましい。
他方、その横幅は適宜自由に設計することができる。
【００４３】
インデックスの大きさ及び切れ目の長さも適宜自由に設計することができる。
インデックスの形状も横向き略凸形状であればよく、その突出部の形状も略矩形形状に限られず、角部に大きなアールが付けられた形態のものであってもよい。
切込部は、突出部の根元の下方ばかりでなく、上方部位に設けてもよい。
インデックスの基部の上部又は下部と係合する切れ目部は、折曲片部又は裏面シート体に設けることができ、その形状も斜めに、横一文字に、又は八の字形状に設けることができる。
【００４４】
横向き略凸形状のインデックスを対称形に形成した１組のものを複数連接する際も、上記実施形態では、横一列に形成しているが、これを二列に連接することもでき、その連接する数や列及び連接する方向等も自由に設計することができる。
以上、本考案は、クリアフォルダーに折曲片部を設けて書類の脱落を防止し、この折曲片部の折目に切れ目を複数設け、この任意のものを選択してインデックスを所望の位置に取り付けることができる極めて便利なクリアフォルダーを提供することができた。
【符号の説明】
【００４５】
１０  表面シート体
１５  切れ目
２０  裏面シート体
２４  切れ目
２５  折曲片部（延長部）
２５ｋ  切れ目部
３０、３５  インデックス
３１  突出部
３２  切込部
３３  基部
３３ｋ  上方角部（基部の）
３３ｓ  下部（基部の）
Ｆ、Ｇ、Ｈ  折目線
【図１】
0003164506.tif 000003
【図２】
0003164506.tif 000004
【図３】
0003164506.tif 000005
【図４】
0003164506.tif 000006